(57)【要約】      （修正有）【課題】生け簀網に付着をして生長をする微生物、フジツボ、パール貝、及びワカメなどを取り除く方法の提供。【解決手段】ハマチ、タイ、及びマグロなどを養殖する生け簀網１である養殖網、又は定置網、又はロープなどの漁具の原材料であるポリエチレン樹脂等に、例えば酸化チタン、塩素、次亜塩素酸、次亜塩素酸カルシウム、次亜塩素酸ナトリウム、ジクロロイソシアヌル酸ナトリウム２水塩、ジクロロイソシアヌル酸ナトリウム、トリクロロイソシアル酸、又はその他の塩素化合物、又はその他の塩素化合物が発生する物質、合成ピレスロイド系、又は有機リン系殺虫剤、等を混合させる。【選択図】図１１
2014057523.tif 000002
【特許請求の範囲】
【請求項１】
ハマチ、タイ、及びマグロなどを養殖する生け簀網（１）である養殖網、又は定置網、又はロープなどの漁具の表面上に微生物、フジツボ、パール貝、及びワカメなどが付着をして生長をするのを防止して除去をする目的にて、ポリエチレン樹脂、又はポリエステル樹脂、又はナイロン樹脂、塩化ビニール樹脂、又はその他の単線糸（フィラメント）の原材料である樹脂（以下、略して、ポリエチレン樹脂、ポリエチレン繊維、又はペレット、又はビーズ、又はマスターバッチとする）をポリエチレン繊維の原材料であるポリエチレン樹脂の段階、又はポリエチレン繊維の段階にて、ポリエチレン樹脂の内部、又はポリエチレン繊維の内部に酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又はポリエチレン繊維の内部に塩素、又は次亜塩素酸カルシウム、又はポリエチレン繊維の内部にジクロロイソシアヌル酸ナトリウム２水塩、又はポリエチレン繊維の内部にジクロロイソシアヌル酸ナトリウム、又はポリエチレン繊維の内部にトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はネオニコチノイドに属するニトログアニジン系、又はネオニコチノイドに属するニトログアニジン系、又はニトロメチレン系、又はピリジルメチルアミン系、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸カルシウム、又はペルメトリン、又はクレゾール、又はその他の農薬、又はその他の消毒剤、又はその他の防腐剤、又は活性炭、又は消石灰とする）を、ポリエチレン樹脂の内部に混合をして、ポリエチレン繊維の内部に塩素、又は次亜塩素酸カルシウム、又はペルメトリン、又はクレゾールなどの毒性が強い農薬、又は消毒剤、又は防腐剤を練り込んで縮合反応をさせた塩素、又はポリエチレン繊維を使用して、生け簀網（１）、又は定置網、又はロープなどの漁具、又は船底塗料を制作すると、ポリエチレン樹脂、又はポリエチレン繊維の内部に練り込んでいる塩素、又は次亜塩素酸カルシウム、又は合成ピレスロイド系のペルメトリンなどが、海水中に徐々に溶解をして拡散をする毒性が強い物質の除菌効果、又は活性炭の電気的な特性、又は消石灰の殺菌効果により、生け簀網（１）、又は定置網、又はロープなどの漁具、又は船底塗料の表面上に微生物、フジツボ、パール貝、及びワカメなどが付着をして生長をすることを防止して除去をすることにより、大型魚類であるマグロ（３）などを効率よく、生け簀網（１）の内部にてマグロ（３）を養殖することを特徴としたマグロの養殖、及びその装置。
【請求項２】
えば、酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末、又は合成ピレスロイド系のペルメトリンなどの殺虫剤、又は殺菌剤、又は毒性が強い農薬を練り込んで縮合反応をさせた、殺菌剤入りのポリエチレン樹脂で出来ている極く小さいビーズ、例えば、直径が２ｍｍ前後のビーズ、又は殺菌剤入りのポリエチレン繊維で出来ている、極く細い繊維を、極く短く裁断をした短繊維（以下、略して、殺菌剤入りのビーズ、又はビーズ、又はペレット、又はマスターバッチとする）、又は極く小さい殺菌剤入りのビーズを、さらに、一段と極く小さく粉砕をする目的にて、ボールミル、ジェットミルなどの粉砕手段を使用して粉砕をした殺菌剤入りのビーズ（以下、略して、殺菌剤入りの微粉末とする）を、例えば、所在地が大阪市中央区道修町１−７−１にある、会社名が、コニシ株式会社が製造販売をしている、商品名が金属接着用のＫ１２０と、有機溶剤を一緒に混合をして船底塗料として船底に塗布をするか、又は従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤を練り込んでいるポリエチレン樹脂で出来ている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなることを特徴としたフジツボなどの付着防止、及びその付着防止方法。
【請求項３】
また、上記にて説明をした、殺菌剤、殺虫剤、及び農薬などの有機物で出来ている毒物とは異なり、無機物である金属に分類をされる銅、亜鉛、錫、鉛、鉄、アルミニウム、マグネシウム、リチウム、銀、及びカルシウム金属などの金属の微粉末、又は銅の酸化物の微粉末、又は亜鉛の酸化物の微粉末、又は錫の酸化物の微粉末、又は鉛の酸化物の微粉末、又は鉄の酸化物の微粉末、又はアルミニウムの酸化物の微粉末、又はマグネシウムの酸化物の微粉末、又はリチウムの酸化物の微粉末、又は銀の酸化物の微粉末、又はカルシウム金属などの酸化物の微粉末、又は酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末（以下、略して、銅の微粉末、又は銅の酸化物の微粉末とする）をポリエチレン樹脂、又はポリエチレン繊維（以下、略して、ポリエチレン繊維とする）の内部に練り込んで、銅の微粉末、又は銅の酸化物の微粉末（以下、略して、銅の微粉末とする）を練り込んだポリエチレン樹脂で出来ているポリエチレン繊維を海水中に漬けることにより、ポリエチレン繊維の内部に練り込んでいる銅の微粉末が酸化をして毒性が強い酸化銅となる。この毒性が強い銅がポリエチレン樹脂、又はポリエチレン繊維の内部から海水中に徐々に溶出、又は折出をすることにより、銅の微粉末、又は酸化銅の微粉末を練り込んだポリエチレン樹脂、又はポリエチレン繊維を使用して形成をした養殖網である生け簀網（１）の表面上には酸化銅の毒性による除菌効果、又は殺菌効果により、生け簀網（１）の表面上にはフジツボなどが付着をするのを防止することが出来ることを特徴としたフジツボなどの付着防止、及びその付着防止方法。
【請求項４】
さらに、ポリエチレン樹脂で出来ているマスターバッチであるペレット、又はビーズ（以下、略して、ペレット、又はビーズとする）の内部に銅の微粉末、又は酸化銅の微粉末、又は塩素、又は活性炭の微粉末、又は消石灰の微粉末を練り込んだビーズを、接着剤、又は従来、使用している船底塗料の内部に混入をして混合をした塗料を、船底の塗料として使用すると、長期間、船底に付着をする微生物、フジツボ、パール貝、及びワカメ（以下、略して、フジツボとする）などが、銅の微粉末、又は酸化銅の微粉末、又は酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末を練り込んでいる、極く小さいビーズの表面上が海水中に徐々に溶解をすることにより、毒性が強い塩素の微粉末、又は毒性が強い酸化銅の除菌効果、又は殺菌効果、又は活性炭の電気的な特性、又は消石灰の殺菌効果により、船底にフジツボなどの微生物、菌子、及び胞子が付着をして成育をすることを防止することが出来ることを特徴としたフジツボなどの付着防止、及びその付着防止方法。
【請求項５】
マグロを養殖する目的の生け簀網（１）が、素材が銅、又は鉄を亜鉛メッキしている針金を使用して出来ている金網を使用して出来ている生け簀網（１）、又は銅線を入れて出来ている導電性の糸を使用して、編網をしている漁網を使用して、例えば、直径が１０ｍの円形形状をした形状にて出来ている、生け簀網（１）に交流（ＡＣ）、又は直流（ＤＣ）を印加して交流電流、又は直流電流を流して電流の防御壁を生け簀網（１）の内側に形成をしている、生け簀網（１）の内部にてマグロ（３）を養殖することを特徴としたマグロの養殖、及びその装置。
【請求項６】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）、又は直流（ＤＣ）を印加して、交流電流、又は直流電流を流して電流の防御壁を生け簀網（１）の内側に形成をしている、生け簀網（１）の内部にてマグロ（３）を養殖することを特徴としたマグロの養殖、及びその装置。
【請求項７】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている円形形状をした、金網（５）に交流（ＡＣ）、又は直流（ＤＣ）を印加して交流電流、又は直流電流を流して電流の防御壁を生け簀網（１）の内側に形成をしている、生け簀網（１）の内部にてマグロ（３）を養殖することを特徴としたマグロの養殖、及びその装置。
【請求項８】
マグロを養殖する目的の生け簀網（１）が、例えば、直径が１０ｍで、深さが１０ｍのポリエチレン樹脂などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている、生け簀網（１）の内部にてマグロ（３）を養殖することを特徴としたマグロの養殖、及びその装置。
【請求項９】
マグロを養殖する目的の生け簀網（１）が、例えば、直径が１０ｍで、深さが１０ｍのポリエチレン樹脂などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている、生け簀網（１）の内部にてマグロ（３）を養殖することを特徴としたマグロの養殖、及びその装置。
【請求項１０】
マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分に白色のフロート（９）、又は白色の擬似コンブ（１１）、又は白色のリボン（１２）、又は直径が５０ｃｍ前後で、長さが５０ｃｍ前後の小さいこんもりとした白色の竹の笹（１２）、又はその他の白色の障害物（１２）（以下、略して、白色の障害物とする）を、生け簀網（１）の内側の部分、又は内壁の部分に白色の障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることを特徴としたマグロの養殖、及びその装置。
【発明の詳細な説明】
【技術分野】
【０００１】
生け簀網（１）、又は漁網、又は漁具、又は船底（以下、略して、生け簀網、又は船底とする）に付着をして生長をする微生物、フジツボ、パール貝、及びワカメ（以下、略して、フジツボとする）などが、生け簀網（１）に付着をして生長をするのを防止することを目的とした、生け簀網（１）である養殖網、及び定置網、及びロープなどの漁具、及び船底に関するものである。
【０００２】
また、ポリエチレン樹脂、又はポリエチレン繊維、又はその他の樹脂、又はその他の繊維（以下、略して、樹脂、又は繊維、又はビーズ、又はペレット、又はマスターバッチとする）の内部にチタンの酸化物、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又はその他の塩素化合物が既成をする物質（以下、略して、塩素、又は殺虫剤、又は農薬とする）又は有機リン系の殺虫剤、又はその他の殺虫剤、又はその他の農薬などを練り込んだポリエチレン繊維を開発した目的の、第１としては、農薬用の殺虫剤として使用をする農薬、又は殺虫剤、又は殺菌剤（以下、略して、農薬とする）の変わりとして使用することが出来る、農薬を含有している樹脂、又は繊維、又は防虫ネット（以下、略して、防虫網とする）を開発することを目的とする。
第２の目的としては、農薬を防虫網の内部に混入をさせて、防虫網の内部に農薬を練り込んだ防虫網を使用して、長期間、農薬の薬剤としての効果を持続させることを目的とする。
第３の目的としては、防虫網の内部に農薬を練り込んだ防虫網を使用して、長期間、害虫を駆除することにより、農薬の使用量を低減させることを目的とする。第４の目的としては、防虫網の内部に農薬を練り込んだ防虫網を使用して、害虫を駆除することにより、農作業の簡素化をすることを目的とする。
【０００３】
さらに、生け簀網（１）を使用して本マグロ、ビンナガ、メバチ、及びキハダ（以下、略して、マグロとする）を養殖することを目的とした養殖網に関するものである。
【背景技術】
【０００４】
現状では、生け簀網（１）である養殖網、及び定置網、及びロープなどの漁具を海水中にて使用すると、例えば、２週間から１カ月間程度の期間にて微生物、フジツボ、パール貝、及びワカメなどが付着をして生長をする。この生け簀網（１）に付着をして生成をしたフジツボなどの除去は、人手にて生け簀網（１）から除去をしているのが現状である。
【０００５】
また、マグロは大きくて、直進性にスピードが速く遊泳をする魚種なので、マグロを養殖する生け簀網（１）の構造は円形形状、又は八角形形状（以下、略して、円形形状とする）をした形状で、最低でも、直径が２０ｍ以上で、深さが１０ｍの円形形状をした生け簀網（１）を使用してマグロを養殖しているのが現状である。
【発明の概要】
【発明が解決しようとする課題】
【０００６】
生け簀網（１）である養殖網、及び定置網、及びロープなどの漁具、及び船底の表面上に微生物、フジツボ、パール貝、及びワカメなどが付着をして生長をするのを防止して除去をする技術を提供することを解決手段とする。
【０００７】
また、従来、ペルメトリン、又は有機リン系の殺虫剤、又はその他の殺虫剤（以下、略して、農薬とする）を使用して害虫を駆除、又は死滅をさせる場合には、空気中に農薬を散布して害虫を駆除、又は死滅をさせているのが現状である。この農薬を空気中に於いて散布をすると、経済的な効率が悪いことと、環境に悪い影響を与えることを防止する技術を提供することを解決手段とする。
【０００８】
さらに、生け簀網（１）の構造が円形形状で、最低でも、直径が２０ｍ以上の直径がなければ養殖が出来ないマグロの養殖を、直径が２０ｍ以下である、例えば、１０ｍ以下で、また、円形形状以外の形状である、例えば、４角形状、又は長方形状をした生け簀網（１）を使用してのマグロ養殖を提供することを解決手段とする。
【発明の効果】
【０００９】
ポリエチレン樹脂、又はポリエステル、又はナイロン樹脂、又は塩化ビニール樹脂、又はその他の単線糸（フィラメント）の原材料である樹脂（以下、略して、ポリエチレン樹脂、又はポリエチレン繊維、又はビーズ、又はペレット、又はマスターバッチとする）、例えば、ポリエチレン繊維の原材料であるポリエチレン樹脂の段階にて、ポリエチレン樹脂の内部に塩素、又は次亜塩素酸、又は次亜塩素酸ナトリウム、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸、又は次亜塩素酸ナトリウム、又は次亜塩素酸カルシウム、又はペルメトリン、又はクレゾール、又はその他の農薬、又はその他の消毒剤、又はその他の殺菌剤、又はその他の防腐剤、又は活性炭、又は消石灰とする）を、ポリエチレン樹脂、又はポリエチレン繊維の内部に混合をして、ポリエチレン樹脂、又はポリエチレン繊維の内部に塩素、又は次亜塩素酸カルシウムを練り込んだポリエチレン樹脂、ポリエチレン繊維を使用して、生け簀網（１）、又は定置網、又はロープなどの漁具を制作すると、ポリエチレン樹脂、又はポリエチレン繊維の内部に練り込んでいる塩素、又は次亜塩素酸、又は次亜塩素酸ナトリウム、又は次亜塩素酸カルシウム、又はペルメトリン、又はクレゾールなどの毒性が強い殺虫剤、又は殺菌剤、又は活性炭、又は消石灰である。下記の表１に示しているのは、有機塩素系殺虫剤である農薬、又は下記の表２に示しているのは、クロロフェノキシ系殺虫剤である農薬、又は下記の表３に示しているのは、有機塩素系殺虫剤などの毒性が強い物質を、ポリエチレン樹脂、又はポリエチレン繊維の内部に練り込んだ、毒性が強い物質が、ポリエチレン樹脂、又はポリエチレン繊維の内部から海水中のポリエチレン樹脂、又はポリエチレン繊維の表面上に徐々に溶解をして拡散をする毒性が強い物質の除菌効果により、生け簀網（１）、又は定置網、又はロープなどの漁具、又は船底の表面上に微生物、フジツボ、パール貝、及びワカメなどが付着をして生長をすることを防止して除去をする効果がある。
【００１０】
下記の表１に示しているのは、有機塩素系殺虫剤である農薬の症状、及び作用機序としては、例えば、ＤＤＴの作用機序や中毒症状については、詳しく研究されているので、ＤＤＴについての説明となるが、ＤＤＴ以外の類縁物質もほぼ同じと考えてよい。神経細胞が刺激されて活動電位が生じたとき、ＤＤＴはＫ＋の流出を抑制して活動電位の下降を遅らせる。従って刺激が反復して起こる。これはまず知覚神経で起こるので、舌、口唇、顔、の知覚障害が現れる。ついで運動神経、大脳不質運動野の刺激症状として振るえが始まる。脂肪に溶けやすいため中毒の初期に脳に蓄積し、濃度の上昇とともに症状は徐々にしかし確実に進行し、運動失調、痙攣、痙攣重積にいたる。しかし、一旦蓄積したあと、少しずつ体の他の脂肪組織に移動し、まもなく脳内濃度は下がり、一定濃度以下になると痙攣は止む。
【００１１】
【表１】
2014057523.tif 000003
【００１２】
下記の表２に示しているのは、クロロフェノキシ系殺虫剤である農薬の症状、及び作用機序としては、例えば、トマトラン、トマトトーンは、トマトの花が落ちるのを防ぐ効果のある、植物成長調整剤の一種で植物ホルモンの合成オーキシンである。オーキシン作用を持つものは植物の正常なホルモン作用をかく乱し、植物を枯らしてしまうことがある。この作用を利用して、除草剤が開発された。ＭＣＢＡのように同じ薬剤が、低濃度で成長促進剤、高濃度で除草剤というものもある。
ホルモン型の選択除草剤で、広葉雑草には効果があるが、イネ科作物は害を受けにくい。
【００１３】
【表２】
2014057523.tif 000004
【００１４】
下記の表３に示しているのは、有機塩素系殺菌剤である消毒剤は、例えば、同じ有機塩素系でも、殺虫剤と殺菌剤は全くその症状、及び作用機序が全く異なり、殺虫剤が神経系に作用するのに対し、殺菌剤の多くは、酵素の持つＳＨ基に対する阻害作用である。例えば、キャプタンはＳＨ基の置換と酸化によって、ＴＰＮは、置換によってそれぞれ酵素を不活性化して殺菌をする。
【００１５】
【表３】
2014057523.tif 000005
【００１６】
下記の表４に示しているのは、殺虫剤であるネオニコチノイドは、ニトログアニジン、ネオニコチニル、ネオニコチノイド、クロロニコチン、クロロニコチニル、及びニコチノイドと呼ばれることもある。
【００１７】
ネオニコチノイドに属する殺虫剤としては、化学式の構造によって、下記の表４に示している、ニトログアニジン系、ニトロメチレン系、及びピリチルメチルアミン系の３種類の殺虫剤に分類をされる。
【００１８】
【表４】
2014057523.tif 000006
【００１９】
また、上記にて説明をした、表１、表２、表３及び表４に示している、殺虫剤、又は殺菌剤、又は毒性が強い農薬を使用して、ハマチ、タイ、及びマグロなどを養殖している養殖網である、生け簀網（１）、又は船底に付着をする微生物、フジツボ、パール貝、及びワカメなどが、生け簀網（１）、又は船底に付着をするのを防止する手段として、ポリエチレン樹脂、又はポリエチレン繊維の内部にチタンの酸化物、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）又はポリエチレン繊維の内部に練り込んだ塩素、又は次亜塩素酸、又は次亜塩素酸ナトリウム、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はネオニコチノイドに属するニトログアニジン系、又はニトロメチレン系、又はピリジルメチルアミン系、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸カルシウム、又はペルメトリン、又はクレゾール、又はその他の農薬、又はその他の消毒剤、又はその他の防腐剤、又は活性炭、又は消石灰とする）の毒性による除菌効果、又は殺菌効果により、生け簀網（１）、又は船底にフジツボなどが付着をするのを防止することが出来ることは、特に大型魚類であるマグロなどの養殖業者、又は船主に取っては、ポリエチレン樹脂、又はポリエチレン繊維の内部に塩素、又は次亜塩素酸カルシウムを練り込んだ、ポリエチレン樹脂、又はポリエチレン繊維を使用して、生け簀網（１）、又は定置網、又はロープなどの漁具などを制作すると、ポリエチレン樹脂、又はポリエチレン繊維の内部に練り込んで縮合反応をさせた塩素、又は次亜塩素酸、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン、又はその他の農薬、又は消毒剤、又は防腐剤としての殺菌力が強いクレドール、又はその他の消毒剤、又はその他の防腐剤の毒性による除菌効果、又は殺菌効果、又は活性炭の電気的な特性、又は消石灰の殺菌効果により、生け簀網（１）、又は船底の表面上にフジツボなどが成育をすることが出来ないので、長期間、生け簀網（１）の網を取り換えて洗浄をしてフジツボなどを除去する必要性がなくなるので、マグロなどの大型魚の養殖業者にとっては作業効率が大変によくなる効果がある。
【００２０】
さらに、表１、表２、表３及び表４に示している、酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末、又は合成ピレスロイド系のペルメトリンなどの殺虫剤、又は殺菌剤、又は毒性が強い農薬を練り込んで縮合反応をさせた、殺菌剤入りのポリエチレン樹脂で出来ている極く小さいビーズ、例えば、直径が２ｍｍ前後のビーズ、又は殺菌剤入りのポリエチレン繊維で出来ている、極く細い繊維を、極く短く裁断をした短繊維（以下、略して、殺菌剤入りのビーズ、又はビーズ、又はペレット、又はマスターバッチとする）、又は極く小さい殺菌剤入りのビーズを、さらに、一段と極く小さく粉砕をする目的にて、ボールミル、ジェットミルなどの粉砕手段を使用して粉砕をした殺菌剤入りのビーズ（以下、略して、殺菌剤入りの微粉末とする）を、例えば、所在地が大阪市中央区道修町１−７−１にある、会社名が、コニシ株式会社が製造販売をしている、商品名が金属接着用のＫ１２０と、有機溶剤を一緒に混合をして船底塗料として船底に塗布をするか、又は従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤を練り込んでいるポリエチレン樹脂で出来ている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなる効果がある。
【００２１】
また、表１、表２、表３及び表４に示している、例えば、酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）又は合成ピレスロイド系のペルメトリンなどの殺虫剤、又は殺菌剤、又は毒性が強い農薬、又は活性炭の微粉末、又は消石灰の微粉末を、従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなる効果がある。
【００２２】
さらに、小規模の養殖業者にとっても、例えば、１カ年間から２カ年間、生け簀網（１）にフジツボなどが付着をしなくなり、生け簀網（１）を取り換える必要性がなくなるならば、養殖をしている養殖魚、例えば、ハマチ、タイ、及びマグロに餌を与えるだけでよいので、作業効率が大変によくなることと、小規模の養殖業者でもマグロなどの大型の魚類を養殖することが出来ることになる効果がある。
【００２３】
また、もし、２カ年間、生け簀網（１）にフジツボなどの微生物の菌糸、及び胞子が寄生をすることが出来ないのであるならば、２カ年間、生け簀網（１）にフジツボなどの微生物が付着をして寄生をすることが出来ない、生け簀網（１）が開発をされたならば、世界中の海での養殖漁業が成り立つことになる。
【００２４】
その第1の理由としては、養殖をしている、例えば、マグロの場合、マグロの出荷が出来るサイズである。１匹が４０Ｋｇまでに成長をするのに、約２カ年間の期間が必要である。けれども、この２カ年間、マグロの稚魚の段階から出荷サイズの成長魚になるまでの２カ年間、マグロに餌だけを与えれば、マグロを飼育することが出来るのであれば、あとは配合飼料、又はその他の飼料を入手するだけの問題となるので、だれでもがマグロの養殖を行なうことが出来ることになる。
【００２５】
その第２の理由としては、養殖漁業を行なうのに漁業権を全く必要としない国々が世界中には数多くの国々が存在をする。漁業権を全く必要としない国々にとっては、生け簀網（１）にフジツボなどが全く付着をしない生け簀網（１）が開発をされたことは、マグロなどの養殖漁業の業界、及び世界の水産業界、及び世界の食品業界にとっては、計り知れない効果がある。
【００２６】
また、マグロを養殖する目的の生け簀網（１）が、素材が銅、又は鉄を亜鉛メッキしている針金を使用して出来ている金網を使用して出来ている生け簀網（１）、又は無結節漁網、又は蛙又漁網、又は亀甲網（以下、略して、漁網とする）を構成している漁網を構成している糸の内部に、銅線を入れている糸を使用して、編網をしている漁網を使用して、マグロを養殖している生け簀網（１）の銅線に交流、又は直流（以下、略して、交流とする）を印加して、生け簀網（１）に交流の電流を常時印加をするか、又は数日間に一回だけ、例えば、一時間だけの時間を交流電流を流すか、又はパルス波長の交流電流を印加して
いる、生け簀網（１）を使用してマグロ養殖をすることにより、マグロは生け簀網（１）に衝突をすることがなくなるので、下記の（１）から（７）にて記載をしているような効果がある。
【００２７】
（１）の効果としては、生け簀網（１）の直径を２０ｍ以下の直径とすることが出来る。例えば、１０ｍ以下の生け簀網（１）でもマグロの養殖が出来ることになる。
【００２８】
（２）の効果としては、生け簀網（１）にマグロが衝突をして首を骨折しての死亡率が減少をすることになる。
【００２９】
（３）の効果としては、マグロの養殖を行なう目的の生け簀網（１）の形状は円形形状でないと、マグロの養殖は出来ないとの定説を覆して、例えば、４角形状、又は長方形状の生け簀網（１）の形状でもマグロの養殖を可能とすることになる。
【００３０】
（４）の効果としては、従来、タイ、ハマチ、フ゛リ（以下、略して、ハマチとする）などを養殖している生け簀網（１）は、１０ｍ×１０ｍの４角形状で、深さは１０ｍである、この１０ｍ×１０ｍの４角形状をした生け簀網（１）を、図１に示しているように、銅線入りの糸を撚り糸とした、例えば、１０本の撚り糸の内部に２本だけの糸を銅線とした銅線を入れた、例えば、ポリエチレン、又はポリエステル（以下、略して、ポリエチレンとする）の糸を撚り糸とした糸を使用して編網をした漁網で出来ている生け簀網（１）に交流電圧、又は直流電圧（以下、略して、交流、又は直流とする）を印加することにより素材が銅線で出来ている銅線入りの漁網で出来ている生け簀網（１）の表面上に、海水が電気分解をされて銅線入りの漁網で出来ている生け簀網（１）の表面上には次亜塩素酸カルシウムが発生をする。この銅線入りの漁網で出来ている生け簀網（１）の表面上に生成をして付着をした、毒性が強い塩素、又は次亜塩素酸カルシウムの毒性により、従来、ポリエチレン、又はポリエステル繊維などで出来ている生け簀網（１）の表面上には、例えば、２週間から１カ月程度の期間にて微生物、フジツボ、パール貝、及びワカメなどが付着をしてびっしりと密生をして生長をするのを、銅線入りの漁網で出来ている生け簀網（１）に、例えば、２日間、又は３日間に一回だけ、一時間程度の時間を、１００Ｖの交流電圧、又は１００Ｖの直流電圧を印加すると、銅線入りの漁網で出来ている生け簀網（１）の表面上には、一切の微生物、フジツボ、パール貝、及びワカメなど菌糸、及び胞子が付着をして寄生をして密生をすることが出来ない現象が判明をした。この現象により、電気殺菌効果による高密度のマグロの養殖が出来て、病原菌による発症を極力低下させて、さらに、経済効果が高いマグロの養殖を目的とした銅線入りの漁網を使用した生け簀網（１）が出来上がることになる。
【００３１】
（５）の効果としては、従来、ハマチなどを養殖している１０ｍ×１０ｍの４角形状の生け簀網（１）の内側に、図２、及び図３に示しているように、素材が銅、又は鉄を亜鉛メッキをした素材で出来ている金網を、１０ｍ×１０ｍの４角形状をした生け簀網（１）の内側の内壁に沿って４角形状をした金網を取り付けるか、又は図３に示しているように、円形形状に生け簀網（１）の内側の内壁に取り付けている円形形状をした金網に交流の電圧を印加して、交流電流を流している生け簀網（１）を使用してマグロを養殖すると、上記にて説明をしたように、ハマチなどを養殖している生け簀網（１）を、容易に転用をして、付加価値が高いマグロの養殖をすることが出来ることになる。
【００３２】
（６）の効果としては、所在地が大分県佐伯市海崎海崎上１３７３−１０で、会社名が大分養殖金網（株）が製造販売をしている、素材は鉄で出来ている針金で、直径が４ｍｍの針金を使用して出来ている金網の、金網の目と目の直径が５ｃｍから１０ｃｍの金網で出来ている、直径が１０ｍの円形形状、又は直径が２０ｍの円形形状を最大の直径の上限として、深さが１０ｍの金網で出来ている養殖網（１）である、図１に示している、生け簀網（１）に電圧をＯＶから１３０Ｖまでの任意の電圧に調節をすることが出来る変圧器であるスライダックを使用して、例えば、図１に示している、金網で出来ている生け簀網（１）に電圧は１３０Ｖで、電流値が５０Ａ、又は１００Ａの交流電圧を印加している、金網で出来ている金網の生け簀網（１）の直径が１０ｍ、又は直径が２０ｍで、深さが１０ｍの金網で出来ている養殖網（１）の内部に於いてマグロの養殖をすると、金網で出来ている金網の生け簀網（１）に交流電圧、又は直流電圧（以下、略して、交流、又は直流とする）を印加することにより、素材が鉄で出来ている金網の生け簀網（１）の表面上に、海水が電気分解をされて金網で出来ている金網の生け簀網（１）の表面上には次亜塩素酸カルシウムが発生をする。この金網の生け簀網（１）の表面上に生成をして付着をした、毒性が強い塩素、又は次亜塩素酸カルシウムの毒性により、従来、金網で出来ている金網の生け簀網（１）の表面上には、例えば、２週間から１カ月程度の期間にて微生物、フジツボ、パール貝、及びワカメなどが付着をしてびっしりと密生をして生長をするのを、金網で出来ている金網の生け簀網（１）に、例えば、２日間、又は３日間に一回だけ、一時間程度の時間を、１００Ｖの交流電圧、又は１００Ｖの直流電圧を印加すると、金網で出来ている金網の生け簀網（１）の表面上には、一切の微生物、フジツボ、パール貝、及びワカメなど菌糸、及び胞子が付着をして寄生をして密生をすることが出来ない現象が判明をした。この現象により、電気殺菌効果による高密度のマグロの養殖が出来て、病原菌による発症を極力低下をさせて、さらに、経済効果が高いマグロの養殖を目的とした銅線入りの漁網を使用した生け簀網（１）が出来上がることになる。
【００３３】
（７）の効果としては、マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分に白色のフロート（９）、又は白色の擬似コンブ（１１）、又は白色のリボン（１２）、又は直径が５０ｃｍ前後で、長さが５０ｃｍ前後の小さいこんもりとした白色の竹の笹（１２）、又はその他の白色の障害物（１２）（以下、略して、白色の障害物とする）を、生け簀網（１）の内側の部分、又は内壁の部分に白色の障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることになる効果がある。
【００３４】
また、上記にて説明をした、殺菌剤、殺虫剤、及び農薬などの有機物で出来ている毒物とは異なり、無機物である金属に分類をされる銅、亜鉛、錫、鉛、鉄、アルミニウム、マグネシウム、リチウム、銀、及びカルシウム金属などの金属の微粉末、又は銅の酸化物の微粉末、又は亜鉛の酸化物の微粉末、又は錫の酸化物の微粉末、又は鉛の酸化物の微粉末、又は鉄の酸化物の微粉末、又はアルミニウムの酸化物の微粉末、又はマグネシウムの酸化物の微粉末、又はリチウムの酸化物の微粉末、又は銀の酸化物の微粉末、又はカルシウム金属などの酸化物の微粉末、又は活性炭の微粉末、又は消石灰の微粉末（以下、略して、銅の微粉末、又は銅の酸化物の微粉末とする）をポリエチレン樹脂、又はポリエチレン繊維（以下、略して、ポリエチレン繊維とする）の内部に練り込んで、銅の微粉末、又は銅の酸化物の微粉末（以下、略して、銅の微粉末とする）を練り込んだポリエチレン樹脂で出来ているポリエチレン繊維を海水中に漬けることにより、ポリエチレン繊維の内部に練り込んでいる銅の微粉末が酸化をして毒性が強い酸化銅となる。この毒性が強い銅がポリエチレン樹脂、又はポリエチレン繊維の内部から海水中に徐々に溶出、又は折出をすることにより、銅の微粉末、又は酸化銅の微粉末を練り込んだポリエチレン樹脂、又はポリエチレン繊維を使用して形成をした養殖網である生け簀網（１）の表面上には酸化銅の毒性による除菌効果、又は殺菌効果により、生け簀網（１）の表面上にはフジツボなどが付着をするのを防止することが出来る効果がある。
【００３５】
さらに、ポリエチレン樹脂で出来ているペレット、又はビーズ（以下、略して、ビーズとする）の内部に銅の微粉末、又は酸化銅の微粉末、又は活性炭の微粉末、又は消石灰の微粉末を練り込んだビーズを、従来、使用している船底塗料の内部に混入をして混合をした塗料を、船底の塗料として使用すると、長期間、船底に付着をする微生物、フジツボ、パール貝、及びワカメ（以下、略して、フジツボとする）などが、銅の微粉末、又は酸化銅の微粉末、又は活性炭の微粉末、又は消石灰の微粉末を練り込んでいる、極く小さいビーズの表面上が海水中に徐々に溶解をすることにより、毒性が強い銅の微粉末、又は毒性が強い酸化銅の除菌効果、又は殺菌効果、又は活性炭の電気的な特性、又は消石灰の殺菌効果により、船底にフジツボなどの微生物、菌子、及び胞子が付着をして成育をすることを防止することが出来る効果がある。
【００３６】
また、下記の表５に銅の化合物、及び銅の酸化物を記載する。
【００３７】
【表５】
2014057523.tif 000007
2014057523.tif 000008
【００３８】
さらに、下記の表６に亜鉛の化合物、及び亜鉛の酸化物を記載する。
【００３９】
【表６】
2014057523.tif 000009
【００４０】
さらに、下記の表７に錫の化合物、及び錫の酸化物を記載する。
【００４１】
【表７】
2014057523.tif 000010
2014057523.tif 000011
【００４２】
また、下記の表８に鉛の化合物、及び鉛の酸化物を記載する。
【００４３】
【表８】
2014057523.tif 000012
2014057523.tif 000013
【００４４】
さらに、下記の表９に鉄の化合物、及び鉄の酸化物を記載する。
【００４５】
【表９】
2014057523.tif 000014
2014057523.tif 000015
2014057523.tif 000016
【００４６】
また、下記の表１０にアルミニウムの化合物、及びアルミニウムの酸化物を記載する。
【００４７】
【表１０】
2014057523.tif 000017
2014057523.tif 000018
2014057523.tif 000019
【００４８】
さらに、下記の表１１にマグネシウムの化合物、及びマグネシウムの酸化物を記載する。
【００４９】
【表１１】
2014057523.tif 000020
2014057523.tif 000021
【００５０】
また、下記の表１２にリチウムの化合物、及びリチウムの酸化物を記載する。
【００５１】
【表１２】
2014057523.tif 000022
2014057523.tif 000023
【００５２】
さらに、下記の表１３に銀の化合物、及び銀の酸化物を記載する。
【００５３】
【表１３】
2014057523.tif 000024
2014057523.tif 000025
【００５４】
また、下記の表１４にカルシウムの化合物、及びカルシウムの酸化物を記載する。
【００５５】
【表１４】
2014057523.tif 000026
【００５６】
さらに、下記の表１５にチタンの化合物、及びチタンの酸化物を記載する。
【００５７】
【表１５】
2014057523.tif 000027
【００５８】
また、例えば、ポリエチレンの原材料である樹脂（以下、略して、ペレット、又はビーズとする）から、ペレットを溶融して延伸をして、単糸であるポリエチレンが原材料の糸を形成する場合には、ポリエチレンのペレットを溶融して延伸をするときに加熱をする温度は、最初の押し出しダイスの加熱温度が１８０度ｃで、第２の押し出しダイスの加熱温度が２６０度ｃで、第３の押し出しダイスの加熱温度が２７０度ｃで、最終加熱である第４の押し出しダイスの加熱温度が２８０度ｃにて、ポリエチレンの原材料であるペレットを高温にて溶融をして、超高圧の圧力をかけて押し出して延伸をして、ポリエチレンが原材料の糸を形成しているのが現状である。
【００５９】
さらに、上記にて説明をした、ポリエチレンの原材料であるペレットを２８０度ｃ以上に加熱をして溶融をして延伸をして、ポリエチレンが原材料の単糸である糸を形成している。この高温高圧にて加熱をしているポリエチレンの原材料であるペレットの内部に、有機物で出来ている農薬、又は殺菌剤、又は殺虫剤を、ポリエチレンの原材料であるペレットの内部に有機物で出来ている農薬、又は殺菌剤、又は殺虫剤などの有機物を混合して練り込んでも、高温・高圧の環境下に耐えて、毒性を維持する有機物は、ほとんど存在をしていなくて、毒性の効果が半減をする有機物がほとんどである。けれども、同じ有機物で出来ている塩素は、高温・高圧の環境下でも、塩素の毒性は変化をしないことが判明をした。このことから塩素をポリエチレンの原材料であるペレットの内部に混合をして溶融をして、ポリエチレンの内部に練り込んで延伸をして単糸を形成すると、塩素本来の毒性は高温・高圧の環境下でも耐えることが判明をした。
【００６０】
また、上記にて説明をした、有機物である塩素以外としては、無機物である銅の微粉末、又は酸化銅（１）の微粉末、又は酸化銅（２）の微粉末、又は消石灰、又は生石灰、又はヤシ殻活性炭、又は石油ピッチ系の活性炭、又はその他の原材料で出来ている活性炭（以下、略して、酸化銅、又は消石灰、又は活性炭とする）などの無機物は、高温・高圧の環境下でも、本来の性質である毒性には、全く変化がないことが判明をした。
【００６１】
さらに、上記にて説明をした、毒性がある物質ではない、けれども、活性炭の微粉末である、例えば、直径が６μｍの粒子径のヤシ殻活性炭（以下、略して、活性炭とする）を、ポリエチレンの原材料であるペレットの内部に混合をして、高温・高圧にて、ポリエチレンの原材料の内部に活性炭を練り込んで、ポリエチレンの原材料の内部に活性炭を練り込んだ、ポリエチレンが主たる原材料で出来ている、活性炭を練り込んでいるポリエチレンを高温・高圧にて押し出して延糸をした糸を使用して編網をした漁網には、微生物、フジツボ、パール貝、及びワカメ（以下、略して、フジツボとする）が、全く付着をして生育をすることが出来ないことが判明をした。この毒性が全くない活性炭の微粉末を混合して練り込んでいる、ポリエチレンが主たる原材料で出来ている、活性炭を極く少量混合して練り込んでいる、ポリエチレンを溶融をして延糸をした糸を使用して編網をした漁網には、一切のフジツボの菌子、及び胞子が付着をして生育をして生長をすることが出来ない。その理由としては、活性炭は強い電位を帯電している物質である。この強い電位に帯電をしている物質には微生物、フジツボ、パール貝、及びワカメなどの菌子、及び胞子が付着をしても、活性炭が所持をしている帯電容量が大きい電位により、電気的な特性が強い活性炭を混合して練り込んでいる、ポリエチレンが主たる原材料で出来ている漁網には、一切の微生物、フジツボ、パール貝、及びワカメなどの菌子、及び胞子が付着をしても、活性炭が帯電をしている電気的な特性により、フジツボなどの菌子、及び胞子が生育、及び生長をすることが出来ないことを発見した。この現象を応用すると、微生物、フジツボ、パール貝、及びワカメなどの菌子、及び胞子が付着をして生育、及び生長をすることが出来ない船具、及び船底塗料が出来ることが判明をした。
【００６２】
さらに、上記にて説明をした、塩素の微粉末、又は銅の微粉末、又は酸化銅（１）の微粉末、又は酸化銅（２）の微粉末、又は消石灰の微粉末、又は生石灰の微粉末、又は活性炭の微粉末（以下、略して、活性炭の微粉末とする）を原材料として、例えば、ポリエチレン樹脂の内部に活性炭を混入して混合をした顆粒形状をしたマスターバッチを形成する場合には、会社名が大日精化株式会社、又は東洋インク株式会社に依頼をして作成をしたマスターバッチを、例えば、ポリエチレン樹脂が２５ｋｇに対して定量コップ１の割合にて、活性炭を入れているマスターバッチを混入したポリエチレン樹脂を原材料とするのであれば、簡単にポリエチレン樹脂の内部に活性炭の微粉末を混入させることが出来る効果がある。
【図面の簡単な説明】
【００６３】
【図１】図１に示しているのは、銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）、又は直流（ＤＣ）を印加して交流電流を流している生け簀網（１）の内部にてマグロ（３）を養殖している縦断面図を、図１に示している。
【図２】図２に示しているのは、銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）、又は直流（ＤＣ）を印加して交流電流を流している生け簀網（１）の内部にてマグロ（３）を養殖している平面図を、図２に示している。
【図３】図３に示しているのは、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）、又は直流（ＤＣ）を印加して交流電流を流している、生け簀網（１）の内部にてマグロ（３）を養殖している平面図を、図３に示している。
【図４】図４に示しているのは、例えば、１０ｍ×１０ｍの４角形状をした生け簀網（１）の内側の内壁に沿って、素材が銅、又は鉄を亜鉛メッキをした導電性の金網で出来ている円形形状をした、金網（５）に交流（ＡＣ）、又は直流（ＤＣ）を印加して交流電流を流している、生け簀網（１）の内部にてマグロ（３）を養殖している平面図を、図４に示している。
【図５】図５に示しているのは、例えば、直径が１０ｍで、深さが１０ｍのポリエチレン繊維などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている縦断面図を、図５に示している。
【図６】図６に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている縦断面図を、図６に示している。
【図７】図７に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、白色のフロート（９）、又はその他の障害物（９）を生け簀網（１）の内側にロープ（１０）を使用して数珠つなぎにして生け簀網（１）の内側に取り付けて、マグロを養殖している生け簀網（１）の存在をマグロに認識をさせる標識としている縦断面図を、図７に示している。
【図８】図８に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、白色のフロート（９）、又はその他の白色の障害物（９）を生け簀網（１）の内側にロープ（１０）を使用して数珠つなぎにして生け簀網（１）の内側に取り付けて、マグロを養殖している生け簀網（１）の存在をマグロに認識をさせる標識としている平面図を、図８に示している。
【図９】図９に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としては白色のコンブの形状（１０）、又はその他の白色の障害物（１０）（以下、擬似コンブ、又はその他の障害物とする）で、色彩は赤、青、黄の３原色、又は白色、又は銀色、又は金色で出来ている疑似コンブ（１０）、又はその他の障害物（１０）を、マグロを養殖している生け簀網（１）の深さの長さである１０ｍの白色の擬似コンブ（１０）、又はその他の白色の障害物を生け簀網（１）の底の部分に取り付けて、マグロを養殖している生け簀網（１）の存在をマグロに認識をさせる標識としている縦断面図を、図９に示している。
【図１０】図１０に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としては白色のコンブの形状（１０）、又はその他の白色の障害物（以下、白色の擬似コンブ、又はその他の白色の障害物とする）で、色彩は赤、青、黄の３原色、又は白色、又は銀色、又は金色で出来ている擬似コンブ（１０）、又はその他の白色の障害物（１０）を、マグロを養殖している生け簀網（１）の深さの長さである１０ｍの白色の擬似コンブ（１０）、又はその他の白色の障害物（１０）を生け簀網（１）の底の部分に取り付けて、マグロを養殖している生け簀網（１）の存在をマグロに認識をさせる標識としている平面図を、図１０に示している。
【図１１】図１１に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としては白色のコンブの形状（１０）、又はその他の障害物（１０）（以下、白色の擬似コンブ、又はその他の障害物とする）で、色彩は赤、青、黄の３原色、又は白色、又は銀色、又は金色の細長い、例えば、幅が１０ｃｍ程度で、長さが１００ｃｍ程度のフィルム、又は直径が５０ｃｍ前後で、長さが５０ｃｍ前後の小さいこんもりとした白色の竹の笹（１２）を、マグロを養殖している生け簀網（１）の内側に、直接に生け簀網（１）に結び付けて、生け簀網（１）の内側に向けて、色彩が赤、青、黄の３原色、又は白色、又は銀色、又は金色の細長いリボン形状のフィルム、又は織物、又は漁網、又はその他の素材で出来ている細長いカーテン形状となりえる素材（以下、略して、リボン、又はカーテン、又はその他の障害物とする）を、マグロを養殖している生け簀網（１）の内部にて、リボン、又は小さい竹である白色の笹、又はカーテン、又はその他の白色の障害物をゆらゆらと泳がせて、マグロを養殖している生け簀網（１）の存在をマグロに認識をさせる標識としている縦断面図を、図１１に示している。
【図１２】図１２に示しているのは、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に、マグロが生け簀網（１）に衝突をするのをマグロに回避させる目的のために、マグロに生け簀網（１）の存在を認識させる標識として、塩化ビニール、又はポリエチレンなどのフィルムで出来ている、例えば、形状としては白色のコンブの形状（１０）、又はその他の白色の障害物（１０）（以下、白色の擬似コンブ、又はその他の白色の障害物とする）で、色彩は赤、青、黄の３原色、又は白色、又は銀色、又は金色の細長い、例えば、幅が１０ｃｍ程度で、長さが２０ｃｍ程度のフィルム、又は直径が２０ｃｍ前後で、長さが５０ｃｍ前後の小さいこんもりとした竹の笹（１２）を、マグロを養殖している生け簀網（１）の内側に、直接に生け簀網（１）に結び付けて、生け簀網（１）の内側に向けて、色彩が赤、青、黄の３原色、又は白色、又は銀色、又は金色の細長いリボン形状のフィルム、又は織物、又は漁網、又はその他の素材で出来ている細長いカーテン形状となりえる素材（以下、略して、白色のリボン、又は白色のカーテン、又はその他の白色の障害物とする）を、マグロを養殖している生け簀網（１）の内部にて、白色のリボン、、又は小さい竹である白色の笹、又は白色のカーテン、又はその他の白色の障害物をゆらゆらと泳がせて、マグロを養殖している生け簀網（１）の存在をマグロに認識をさせる標識としている平面図を、図１２に示している。
【発明を実施するための形態】
【実施例１】
【００６４】
ハマチ、タイ、及びマグロなどを養殖する生け簀網（１）である養殖網、又は定置網、又はロープなどの漁具の表面上に微生物、フジツボ、パール貝、及びワカメなどが付着をして生長をするのを防止して除去をする目的にて、ポリエチレン樹脂、又はポリエステル樹脂、又はナイロン樹脂、塩化ビニール樹脂、又はその他の単線糸（フィラメント）の原材料である樹脂（以下、略して、ポリエチレン樹脂、ポリエチレン繊維、又はペレット、又はビーズ、又はマスターバッチとする）をポリエチレン繊維の原材料であるポリエチレン樹脂の段階、又はポリエチレン繊維の段階にて、ポリエチレン樹脂の内部、又はポリエチレン繊維の内部に酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又はポリエチレン繊維の内部に塩素、又は次亜塩素酸カルシウム、又はポリエチレン繊維の内部にジクロロイソシアヌル酸ナトリウム２水塩、又はポリエチレン繊維の内部にジクロロイソシアヌル酸ナトリウム、又はポリエチレン繊維の内部にトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はネオニコチノイドに属するニトログアニジン系、又はネオニコチノイドに属するニトログアニジン系、又はニトロメチレン系、又はピリジルメチルアミン系、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸カルシウム、又はペルメトリン、又はクレゾール、又はその他の農薬、又はその他の消毒剤、又はその他の防腐剤、又は活性炭、又は消石灰とする）を、ポリエチレン樹脂の内部に混合をして、ポリエチレン繊維の内部に塩素、又は次亜塩素酸カルシウム、又はペルメトリン、又はクレゾールなどの毒性が強い農薬、又は消毒剤、又は防腐剤を練り込んで縮合反応をさせた塩素、又はポリエチレン繊維を使用して、生け簀網（１）、又は定置網、又はロープなどの漁具、又は船底塗料を制作すると、ポリエチレン樹脂、又はポリエチレン繊維の内部に練り込んでいる塩素、又は次亜塩素酸カルシウム、又は合成ピレスロイド系のペルメトリンなどが、海水中に徐々に溶解をして拡散をする毒性が強い物質の除菌効果、又は活性炭の電気的な特性、又は消石灰の殺菌効果により、生け簀網（１）、又は定置網、又はロープなどの漁具、又は船底塗料の表面上に微生物、フジツボ、パール貝、及びワカメなどが付着をして生長をすることを防止して除去をすることを実施例１とする。
【実施例２】
【００６５】
例えば、酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末、又は合成ピレスロイド系のペルメトリンなどの殺虫剤、又は殺菌剤、又は毒性が強い農薬を練り込んで縮合反応をさせた、殺菌剤入りのポリエチレン樹脂で出来ている極く小さいビーズ、例えば、直径が２ｍｍ前後のビーズ、又は殺菌剤入りのポリエチレン繊維で出来ている、極く細い繊維を、極く短く裁断をした短繊維（以下、略して、殺菌剤入りのビーズ、又はビーズ、又はペレット、又はマスターバッチとする）、又は極く小さい殺菌剤入りのビーズを、さらに、一段と極く小さく粉砕をする目的にて、ボールミル、ジェットミルなどの粉砕手段を使用して粉砕をした殺菌剤入りのビーズ（以下、略して、殺菌剤入りの微粉末とする）を、例えば、所在地が大阪市中央区道修町１−７−１にある、会社名が、コニシ株式会社が製造販売をしている、商品名が金属接着用のＫ１２０と、有機溶剤を一緒に混合をして船底塗料として船底に塗布をするか、又は従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤を練り込んでいるポリエチレン樹脂で出来ている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなることを実施例２とする。
【実施例３】
【００６６】
また、上記にて説明をした、殺菌剤、殺虫剤、及び農薬などの有機物で出来ている毒物とは異なり、無機物である金属に分類をされる銅、亜鉛、錫、鉛、鉄、アルミニウム、マグネシウム、リチウム、銀、及びカルシウム金属などの金属の微粉末、又は銅の酸化物の微粉末、又は亜鉛の酸化物の微粉末、又は錫の酸化物の微粉末、又は鉛の酸化物の微粉末、又は鉄の酸化物の微粉末、又はアルミニウムの酸化物の微粉末、又はマグネシウムの酸化物の微粉末、又はリチウムの酸化物の微粉末、又は銀の酸化物の微粉末、又はカルシウム金属などの酸化物の微粉末、又は活性炭の微粉末、又は消石灰の微粉末（以下、略して、銅の微粉末、又は銅の酸化物の微粉末とする）をポリエチレン樹脂、又はポリエチレン繊維（以下、略して、ポリエチレン繊維とする）の内部に練り込んで、銅の微粉末、又は銅の酸化物の微粉末（以下、略して、銅の微粉末とする）を練り込んだポリエチレン樹脂で出来ているポリエチレン繊維を海水中に漬けることにより、ポリエチレン繊維の内部に練り込んでいる銅の微粉末が酸化をして毒性が強い酸化銅となる。この毒性が強い銅がポリエチレン樹脂、又はポリエチレン繊維の内部から海水中に徐々に溶出、又は折出をすることにより、銅の微粉末、又は酸化銅の微粉末を練り込んだポリエチレン樹脂、又はポリエチレン繊維を使用して形成をした養殖網である生け簀網（１）の表面上には酸化銅の毒性による除菌効果、又は殺菌効果により、生け簀網（１）の表面上にはフジツボなどが付着をするのを防止することが出来ることを実施例３とする。
【実施例４】
【００６７】
さらに、ポリエチレン樹脂で出来ているマスターバッチであるペレット、又はビーズ（以下、略して、ペレット、又はビーズとする）の内部に銅の微粉末、又は酸化銅の微粉末、又は塩素、又は活性炭の微粉末、又は消石灰の微粉末を練り込んだビーズを、接着剤、又は従来、使用している船底塗料の内部に混入をして混合をした塗料を、船底の塗料として使用すると、長期間、船底に付着をする微生物、フジツボ、パール貝、及びワカメ（以下、略して、フジツボとする）などが、銅の微粉末、又は酸化銅の微粉末、又は酸化チタン、又は塩素、又は次亜塩素酸、又は次亜塩素酸カルシウム、又は次亜塩素酸ナトリウム、又はジクロロイソシアヌル酸ナトリウム２水塩、又はジクロロイソシアヌル酸ナトリウム、又はトリクロロイソシアル酸、又はその他の塩素化合物、又はその他の塩素化合物が発生、又は既成をする物質（以下、略して、塩素、又は殺虫剤、又は農薬とする）、又は活性炭の微粉末、又は消石灰の微粉末を練り込んでいる、極く小さいビーズの表面上が海水中に徐々に溶解をすることにより、毒性が強い塩素の微粉末、又は毒性が強い酸化銅の除菌効果、又は殺菌効果、又は活性炭の電気的な特性、又は消石灰の殺菌効果により、船底にフジツボなどの微生物、菌子、及び胞子が付着をして成育をすることを防止することが出来ることを実施例４とする。
【実施例５】
【００６８】
マグロを養殖する目的の生け簀網（１）が、素材が銅、又は鉄を亜鉛メッキしている針金を使用して出来ている金網を使用して出来ている生け簀網（１）、又は銅線を入れて出来ている導電性の糸を使用して、編網をしている漁網を使用して、例えば、１０ｍの円形形状をした形状にて出来ている、生け簀網（１）に交流（ＡＣ）、又は直流（ＤＣ）を印加して交流電流、又は直流電流を流して電流の防御壁を生け簀網（１）の内側に形成をしている、生け簀網（１）の内部にてマグロ（３）を養殖することを実施例５とする。
【実施例６】
【００６９】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている４角形状をした、金網（４）に交流（ＡＣ）、又は直流（ＤＣ）を印加して、交流電流、又は直流電流を流して電流の防御壁を生け簀網（１）の内側に形成をしている、生け簀網（１）の内部にてマグロ（３）を養殖することを実施例６とする。
【実施例７】
【００７０】
マグロを養殖する目的の生け簀網（１）が、例えば、１０ｍ×１０ｍの４角形状をした生け簀網（１）の内側の内壁に沿って、素材が銅、又は鉄を亜鉛メッキをした導電性の金網で出来ている円形形状をした金網（５）に交流（ＡＣ）、又は直流（ＤＣ）を印加して交流電流、又は直流電流を流して電流の防御壁を生け簀網（１）の内側に形成をしている、生け簀網（１）の内部にてマグロ（３）を養殖することを実施例７とする。
【実施例８】
【００７１】
マグロを養殖する目的の生け簀網（１）が、例えば、直径が１０ｍで、深さが１０ｍのポリエチレン繊維などで出来ている生け簀網（１）の内側に、例えば、９０００Ｖのパルス波長の電流を印加して、マグロが生け簀網（１）に衝突をするのを防止する目的のために、生け簀網（１）の内側に海水面に対して平行状態の横方向に数１０本の電線（６）、及び（７）を生け簀網（１）の内側に沿って、生け簀網（１）の周りにパルス波長の電流を印加する目的のための電線（６）、及び（７）を生け簀網（１）に取り付けている、生け簀網（１）の内部にてマグロ（３）を養殖することを実施例８とする。
【実施例９】
【００７２】
マグロを養殖する目的の生け簀網（１）が、例えば、直径が１０ｍで、深さが１０ｍのポリエチレン繊維などで出来ている生け簀網（１）の内側に、例えば、マグロが生け簀網（１）に衝突をするのを防止する目的のために、生け簀網（１）の内側に海水面に対して平行状態の横方向に数１０本の有刺鉄線（８）を生け簀網（１）の内側に沿って、生け簀網（１）の周りに有刺鉄線（８）を生け簀網（１）に取り付けている、生け簀網（１）の内部にてマグロ（３）を養殖することを実施例９とする。
【実施例１０】
【００７３】
マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分に白色のフロート（９）、又は白色の擬似コンブ（１１）、又は白色のリボン（１２）、又は直径が５０ｃｍ前後で、長さが５０ｃｍ前後の小さいこんもりとした白色の竹の笹（１２）、又はその他の白色の障害物（１２）（以下、略して、白色の障害物とする）を、生け簀網（１）の内側の部分、又は内壁の部分に白色の障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることを実施例１０とする。
【産業上の利用可能性】
【００７４】
ハマチ、タイ、及びマグロなどを養殖している養殖網である、生け簀網（１）に付着をする微生物、フジツボ、パール貝、及びワカメなどが、生け簀網（１）に付着をするのを防止する手段として、ポリエチレン繊維の内部に練り込んだ塩素、又は次亜塩素酸、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン（商品名・エクスミン）、又はＤ−テトラメトリン（別名・フタルスリン）、又はレスメトリン（商品名・クリスロン）、又はフラメトリン、又はフェノトリン（商品名・スミスリン）、又はシフェノトリン、又はブラトリン、又はエトフェンプロックス（別名・ベクトロン）、又はシフルトリン、又はテフルトリン、又はビフェントリン、又はアレスリン、又はその他の合成ピレスロイド、又は有機リン系殺虫剤であるトリクロルホン、又はクロルピリホス、又はジクロルボス、又はマラソンなどの有機リン系殺虫剤、又は除草剤、又は工業用有機リン剤、又はカーバメイト剤、又はその他の農薬、又は消毒剤、又は防腐剤としての殺菌力が強いクレドール、又はその他の消毒剤、又はその他の防腐剤、又は活性炭の微粉末、又は消石灰の微粉末（以下、略して、塩素、又は次亜塩素酸カルシウム、又はペルメトリン、又はクレゾール、又はその他の農薬、又はその他の消毒剤、又はその他の防腐剤、又は活性炭、又は消石灰とする）の毒性による除菌効果、又は殺菌効果により、生け簀網（１）にフジツボなどが付着をするのを防止することが出来ることは、特に大型魚類であるマグロなどの養殖業者に取っては、大型の養殖用の生け簀網（１）を、ポリエチレン繊維の内部に塩素、又は次亜塩素酸カルシウムを練り込んだ、ポリエチレン繊維を使用して、生け簀網（１）、又は定置網、又はロープなどの漁具などを制作すると、ポリエチレン繊維の内部に練り込んだ塩素、又は次亜塩素酸、又は次亜塩素酸カルシウム、又はジクロロイソシアヌル酸ナトリウム２水塩、又はジクロロイソシアヌル酸ナトリウム、又はトリクロロイソシアル酸、又は農薬の合成ピレスロイド系のペルメトリン、又はその他の農薬、又は消毒剤、又は防腐剤としての殺菌力が強いクレドール、又はその他の消毒剤、又はその他の防腐剤の毒性による除菌効果、又は殺菌効果、又は活性炭の電気的な特性、又は消石灰の殺菌効果により、生け簀網（１）の表面上にフジツボなどが成育をすることが出来ないので、長期間、生け簀網（１）の網を取り換えて洗浄をしてフジツボなどを除去する必要性がなくなるので、マグロなどの大型魚の養殖業者にとっては作業効率が大変によくなる。
【００７５】
また、例えば、活性炭の微粉末、又は消石灰の微粉末、又は合成ピレスロイド系のペルメトリンなどの殺虫剤、又は殺菌剤を練り込んで縮合反応をさせた、殺菌剤入りのポリエチレン樹脂で出来ている極く小さいビーズ、又は殺菌剤入りのポリエチレン繊維で出来ている、極く細い繊維を、極く短く裁断をした短繊維（以下、略して、殺菌剤入りのビーズ、又はビーズとする）、又は極く小さい殺菌剤入りのビーズを、さらに、一段と極く小さく粉砕をする目的にて、ボールミル、ジェットミルなどの粉砕手段を使用して粉砕をした殺菌剤入りのビーズ（以下、略して、殺菌剤入りの微粉末とする）を、従来の船底塗料として使用している有機溶剤（以下、略して、塗料とする）の内部に混入をして混合をした塗料を、船底の塗料として使用をすると、長期間、船底に付着をする微生物、フジツボ、パール貝、及びワカメ（以下、略して、フジツボとする）などが、殺菌剤を塗料の内部に練り込んでいる、極く小さいビーズ、又は殺菌剤を塗料の内部に練り込んで縮合反応をさせている微粉末である、殺菌剤を練り込んでいるポリエチレン樹脂で出来ている微粉末である、殺菌剤入りの微粉末である、殺菌剤入りの微粉末を船底に塗布をしている塗料の内部に混入をしている微粉末から海水中に徐々に殺菌剤が溶解をすることにより、船底にフジツボなどの微生物、菌子、及び胞子が付着をして成育をすることが出来ないので、船底の洗浄作業の効率が大変によくなる。
【００７６】
さらに、小規模の養殖業者にとっても、例えば、１カ年間から２カ年間、生け簀網（１）にフジツボなどが付着をしなくなり、生け簀網（１）を取り換える必要性がなくなるならば、養殖をしている養殖魚、例えば、ハマチ、タイ、及びマグロに餌を与えるだけでよいので、作業効率が大変によくなることと、小規模の養殖業者でもマグロなどの大型の魚類を養殖することが出来ることになる。
【００７７】
また、もし、２カ年間、生け簀網（１）にフジツボなどの微生物の菌糸、及び胞子が寄生をすることが出来ないのであるならば、２カ年間、生け簀網（１）にフジツボなどの微生物が付着をして寄生をすることが出来ない。生け簀網（１）が開発をされたならば、世界中の海での養殖漁業が成り立つことになる。その理由は、養殖をしている、例えば、マグロの場合、マグロの出荷が出来るサイズである。１匹が４０Ｋｇまでに成長をするのに、約２カ年間の期間が必要である。けれども、この２カ年間、マグロの稚魚の段階から出荷サイズの成長魚になるまでの２カ年間、マグロに餌だけを与えれば、マグロを飼育することが出来るのであれば、あとは配合飼料、又はその他の飼料を入手するだけの問題となるので、だれでもがマグロの養殖を行なうことが出来ることになる。
【００７８】
さらに、マグロの養殖を行なうためには、最低、直径が２０ｍ以下で、深さが１０ｍの円形形状をした生け簀網（１）でないとマグロの養殖は出来ないとされている。けれども、生け簀網（１）を導電性とした生け簀網（１）に交流電流（ＡＣ）、又は直流（ＤＣ）を印加するか、または、生け簀網（１）の内壁に沿って、素材が銅、又は鉄を亜鉛メッキをした金網で出来ている４角形状、又は円形形状をした導電性の金網（１）、（４）、及び（５）に交流（ＡＣ）、又は直流（ＤＣ）を印加して交流電流、又は直流電流を流して電流の防御壁を生け簀網（１）の内側に４角形状、又は円形形状に電流の防御壁を形成している、生け簀網（１）の内部にてマグロ（３）を養殖するので、従来、ハマチなどを養殖している１０ｍ×１０ｍの４角形状で、深さが１０ｍの、ハマチ養殖の施設を転用してハマチの養殖事業よりも、より一段と付加価値が高いマグロの養殖事業を可能とすることになった。
【００７９】
また、マグロを養殖する目的の生け簀網（１）の形状と直径を、例えば、生け簀網（１）の形状は円形形状として、円形形状の直径が出来るだけ小さい１０ｍ以内とした、マグロを養殖する目的の生け簀網（１）の直径を出来るだけ小さくすることにより、マグロを養殖するのが経済的に効果が高くなる効果がある。マグロを養殖する生け簀網（１）の形状が円形形状で、直径が２０ｍ以下の直径よりも小さい生け簀網（１）を使用してのマグロの養殖は出来ないとされている。その理由は、マグロは直進性にスピードを出して泳がなければ、酸素呼吸が出来ない魚種である。このために、生け簀網（１）の直径が２０ｍ以下よりも小さいと、生け簀網（１）に衝突をして、マグロは首の骨を骨折して死亡をする死亡率が高くなる。このことが理由で、現状ではマグロの養殖を目的とした生け簀網（１）の直径としては、マグロを養殖している生け簀網（１）の形状は円形形状で、２０ｍ以上の生け簀網（１）を使用しているのが現状である。そこで、マグロを養殖するのに生け簀網（１）の形状は円形形状で、直径が１０ｍ以下の生け簀網（１）を使用して、マグロの首を骨折させることなく安全にマグロを養殖する手段としては、図７から図１２に示しているように、マグロを養殖している生け簀網（１）の内側の部分、又は内壁の部分に白色のフロート（９）、又は白色の擬似コンブ（１１）、又は白色のリボン（１２）、又は直径が５０ｃｍ前後で、長さが５０ｃｍ前後の小さいこんもりとした竹の笹（１２）、又はその他の白色の障害物（１２）（以下、略して、白色の障害物とする）を、生け簀網（１）の内側の部分、又は内壁の部分に白色の障害物（１２）を形成することにより、マグロにマグロを養殖している生け簀網（１）の存在をマグロに認識をさせる標識とすることが出来るので、マグロは生け簀網（１）に衝突をすることがなくなり、直径が１０ｍ以下の円形形状をした生け簀網（１）を使用しても、マグロを安全に養殖をすることが出来ることになった。このことにより、現在、ハマチの養殖を行なっている直径が１０ｍ×１０ｍの、１形状としては４角形状をしたハマチの養殖を行っている、ハマチ養殖用の筏を使用して、現在、ハマチの養殖をするのに使用している形状が４角形状をした、生け簀網（１）を使用してハマチを養殖している、ハマチ養殖を目的とした生け簀網（１）の形状を、１０ｍ×１０ｍの４角形状をした生け簀網（１）から、形状が円形形状をした直径が１０ｍの生け簀網（１）に変更をするだけにて、現在、ハマチを養殖している４角形状をした筏を、そのままの状態にて転用して、マグロを安全にハマチ養殖用の筏を使用して、
マグロの養殖を可能としたことにより、九州、四国、及びその他の地域にてハマチを養殖している、１００００以上のハマチを養殖している養殖用の筏を、そのままの状態にて４角形状の筏を転用して、マグロの養殖が出来ることは、ハマチを養殖している漁業者にとっては、大変に付加価値が高い漁業者となることが出来ることになった。
【符号の説明】
【００８０】
１  導電性の生け簀網、又は金網で出来ている生け簀網（以下、略して、生け簀網とする）
２  フロート
３  マグロ
４  導電性の金網で出来ている４角形状をした金網
５  導電性の金網で出来ている円形形状をした金網
６、及び７  パルス波長の超高圧の交流を印加する目的のために生け簀網に取り付けている電線
８  有刺鉄線
９  フロート（以下、略して、フロート、又は障害物とする）
１０  ロープ
１１  擬似コンブ（以下、略して、擬似コンブ、又は障害物とする）
１２  リボン、又は天然の小さい竹の笹、又は人工的に塩化ビニール樹脂などで出来ている笹（以下、略して、リボン、又は笹、又は障害物とする）
１３  重り
【図１】
2014057523.tif 000028
【図２】
2014057523.tif 000029
【図３】
2014057523.tif 000030
【図４】
2014057523.tif 000031
【図５】
2014057523.tif 000032
【図６】
2014057523.tif 000033
【図７】
2014057523.tif 000034
【図８】
2014057523.tif 000035
【図９】
2014057523.tif 000036
【図１０】
2014057523.tif 000037
【図１１】
2014057523.tif 000038
【図１２】
2014057523.tif 000039